(57)【要約】【課題】光ケーブル網における心線の維持管理を迅速かつ正確に行い、作業負担を軽減する。【解決手段】光ケーブル網を構成する光ケーブル毎に、光ケーブルを特定する情報と、光ケーブルの長さを示す情報と、光ケーブルが取込まれる中継設備を特定する情報と、を対応付けて記憶する光ケーブル管理データベースと、第１の中継設備を特定する情報の入力を受ける第１の中継設備入力部と、第２の中継設備を特定する情報の入力を受ける第２の中継設備入力部と、第１の中継設備から第２の中継設備に至る経路を求める経路探索部と、求めた各経路の各光ケーブルの長さの和を経路毎に算出する光ケーブル長算出部と、算出した光ケーブルの長さの和でソートした状態で、求めた各経路を示す情報の一覧を出力する探索結果出力部とを備える情報処理装置に関する。【選択図】図１
2007166504.tif 000002
【特許請求の範囲】
【請求項１】
光ケーブル網を構成する光ケーブル毎に、光ケーブルを特定する情報と、光ケーブルの長さを示す情報と、光ケーブルが取り込まれる中継設備を特定する情報とを、対応付けて記憶する光ケーブル管理データベースと、
第１の中継設備を特定する情報の入力を受ける第１の中継設備入力部と、
第２の中継設備を特定する情報の入力を受ける第２の中継設備入力部と、
光ケーブルが取り込まれる中継設備を特定する前記情報に基づいて、前記第１の中継設備から前記第２の中継設備に至る経路を求める経路探索部と、
光ケーブルの長さを示す前記情報に基づいて、前記求めた各経路の各光ケーブルの長さの和を、経路毎に算出する光ケーブル長算出部と、
前記算出した光ケーブルの長さの和でソートした状態で、前記求めた各経路を示す情報の一覧を出力する探索結果出力部と、
を備えることを特徴とする情報処理装置。
【請求項２】
前記探索結果出力部は、
前記経路を示す情報の一覧を出力する際に、前記算出した光ケーブルの長さの和が等しいものについては、経路上の中継設備の数でソートした状態で出力する
ことを特徴とする請求項１に記載の情報処理装置。
【請求項３】
光ケーブル網を構成する光ケーブル毎に、光ケーブルを特定する情報と、光ケーブルの種別を示す情報と、光ケーブルの長さを示す情報と、光ケーブルが取り込まれる中継設備を特定する情報と、を対応付けて記憶する光ケーブル管理データベースと、
光ケーブルの種別に応じて定まる光ケーブルの単位長さあたりの光の減衰量を示す情報を記憶する線路損失管理データベースと、
各中継設備を特定する情報と、各中継設備での光の減衰量を示す情報と、を対応付けて記憶する光減衰量管理データベースと、
第１の中継設備を特定する情報の入力を受ける第１の中継設備入力部と、
第２の中継設備を特定する情報の入力を受ける第２の中継設備入力部と、
光ケーブルが取り込まれる中継設備を特定する前記情報に基づいて、前記第１の中継設備から前記第２の中継設備に至る経路を求める経路探索部と、
前記求めた各経路を構成する光ケーブルの長さを示す情報と、種別を示す情報と、単位長さあたりの光の減衰量を示す情報と、前記各経路を構成する各中継設備での光の減衰量を示す情報とに基づいて、前記経路毎に、光の減衰量の和を算出する光減衰量算出部と、
前記算出した光の減衰量の和でソートした状態で、前記求めた各経路を示す情報の一覧を出力する探索結果出力部と、
を備えることを特徴とする情報処理装置。
【請求項４】
前記光減衰量管理データベースに記憶される、各中継設備での光の減衰量を示す前記情報は、光ケーブルの心線同士を接続する際の接続方法に応じて定まる光の減衰量を、各中継設備における光ケーブルの心線毎に示した情報であり、
前記経路毎に算出する光の減衰量の和は、前記求めた各経路上の各中継設備のそれぞれにおける心線の最多の接続方法に応じた光の減衰量を示す情報と、前記各経路を構成する光ケーブルの長さを示す情報と、種別を示す情報と、単位長さあたりの光の減衰量を示す情報と、に基づいて算出されること
を特徴とする請求項３に記載の情報処理装置。
【請求項５】
前記出力された各経路を示す情報の一覧の中の少なくとも一つを指定する情報の入力を受ける経路指定入力部と、
光ケーブルを示す線画図形及び中継設備を示す図形により、前記指定された経路上の各光ケーブルの接続関係を、他の経路とは異なる描画方法で示す画像を表示する経路表示部と、
を備えることを特徴とする請求項１乃至３のいずれかに記載の情報処理装置。
【請求項６】
中継設備を特定する情報と、前記中継設備に取り込まれる各光ケーブルの各心線を特定する情報と、前記各心線とそれぞれ接続される相手方の各心線を特定する情報と、を中継設備毎に対応付けて記憶する心線接続属性管理データベースと、
前記出力された各経路を示す情報の一覧の中の少なくとも一つを指定する情報の入力を受ける経路指定入力部と、
光ケーブルの心線を示す線画図形及び中継設備を示す図形により、前記指定された経路上の各心線の接続関係を示す画像を表示する心線表示部と、
を備える
ことを特徴とする請求項１乃至３のいずれかに記載の情報処理装置。
【請求項７】
前記心線表示部は、
前記指定された経路上の各中継設備のうち、取り込まれる各光ケーブルの全ての心線が相手側の心線と分岐されずに接続されている中継設備を省略して、前記指定された経路上の各心線の接続関係を示す画像を表示する
ことを特徴とする請求項６に記載の情報処理装置。
【請求項８】
各光ケーブルの各心線を特定する情報と、各心線の所有者を特定する情報と、をそれぞれ対応付けて記憶する心線所有者管理データベースと、
を備え、
前記心線表示部は、
前記指定された経路上の各心線のうち、所定の所有者の心線を省略して、前記指定された経路上の各心線の接続関係を示す画像を表示する
ことを特徴とする請求項６に記載の情報処理装置。
【請求項９】
前記心線表示部は、
前記指定された経路上の各中継設備を略長方形の図形で表し、各中継設備において互いに接続される心線を特定する情報を、前記略長方形の対向する二辺に沿って所定の順序に並べて表示すると共に、前記互いに接続される心線を特定する情報の表示のペアを前記二辺に垂直な直線、又は前記二辺に垂直な直線と前記二辺に平行な他のペアと共通の直線とを組み合わせた折れ線により接続して表示し、前記折れ線の屈曲部分には、互いに相手方の心線を特定する情報を表示する
ことを特徴とする請求項６に記載の情報処理装置。
【請求項１０】
前記二辺に平行な他のペアと共通の直線は、前記二辺に平行な各ペアに共通の１本の直線である
ことを特徴とする請求項９に記載の情報処理装置。
【請求項１１】
前記光ケーブル管理データベースには、
光ケーブル内において各心線が所定数毎に束ねられてなる各心線束を特定する情報と、各心線束内の各心線を特定する情報と、が光ケーブル毎に対応付けて記憶され、
前記心線表示部は、
光ケーブルの心線束を示す線画図形及び中継設備を示す図形により、前記指定された経路上の各心線束の接続関係を示す画像を表示する
ことを特徴とする請求項６に記載の情報処理装置。
【請求項１２】
光ケーブル網を構成する光ケーブル毎に、光ケーブルを特定する情報と、光ケーブルが取り込まれる中継設備を特定する情報と、光ケーブル内の各心線を特定する情報と、各心線への回線の割当状況を示す情報と、を対応付けて記憶する心線割当管理データベースと、
第１の中継設備を特定する情報の入力を受ける中継設備入力部と、
光ケーブルが取り込まれる中継設備を特定する前記情報に基づいて、前記第１の中継設備に一方の端部が取り込まれる光ケーブルの他方の端部が取り込まれる第２の中継設備を求める中継設備探索部と、
各心線への回線の割当状況を示す前記情報に基づいて、前記求めた各第２の中継設備のうち、前記第１の中継設備と前記第２の中継設備とをつなぐ光ケーブルに回線が未割当の心線が含まれるものを抽出する回線未割当中継設備抽出部と、
光ケーブルを示す線画図形及び中継設備を示す図形により、前記第１の中継設備と前記抽出された各第２の中継設備との間がそれぞれ光ケーブルで接続されることを示す画像を表示する回線未割当経路表示部と、
を備えることを特徴とする情報処理装置。
【請求項１３】
前記回線未割当経路表示部は、
前記第１の中継設備と前記抽出された各第２の中継設備との間をつなぐ各光ケーブル内の心線数と回線が未割当の心線数とを、それぞれ前記各光ケーブルを示す線画図形の近傍に表示する
ことを特徴とする請求項１２に記載の情報処理装置。
【請求項１４】
前記抽出された各第２の中継設備を示す情報の中の一つを指定する情報の入力を、前記第１の中継設備を示す情報の入力として受ける中継設備継続入力部と、
を備えることを特徴とする請求項１２に記載の情報処理装置。
【請求項１５】
光ケーブル網を構成する光ケーブル毎に、光ケーブルを特定する情報と、光ケーブルの長さを示す情報と、光ケーブルが取り込まれる中継設備を特定する情報とを、対応付けて記憶する情報処理装置の制御方法であって、
前記情報処理装置が、第１の中継設備を特定する情報の入力を受け、
前記情報処理装置が、第２の中継設備を特定する情報の入力を受け、
前記情報処理装置が、光ケーブルが取り込まれる中継設備を特定する前記情報に基づいて、前記第１の中継設備から前記第２の中継設備に至る経路を求め、
前記情報処理装置が、光ケーブルの長さを示す前記情報に基づいて、前記求めた各経路の各光ケーブルの長さの和を、経路毎に算出し、
前記情報処理装置が、前記算出した光ケーブルの長さの和でソートした状態で、前記求めた各経路を示す情報の一覧を出力する、
ことを特徴とする情報処理装置の制御方法。
【請求項１６】
光ケーブル網を構成する光ケーブル毎に、光ケーブルを特定する情報と、光ケーブルの種別を示す情報と、光ケーブルの長さを示す情報と、光ケーブルが取り込まれる中継設備を特定する情報と、を対応付けて記憶する光ケーブル管理データベースと、光ケーブルの種類に応じて定まる光ケーブルの単位長さあたりの光の減衰量を示す情報を記憶する線路損失管理データベースと、各中継設備を特定する情報と、各中継設備での光の減衰量を示す情報と、を対応付けて記憶する光減衰量管理データベースと、を備える情報処理装置の制御方法であって、
前記情報処理装置が、第１の中継設備を特定する情報の入力を受け、
前記情報処理装置が、第２の中継設備を特定する情報の入力を受け、
前記情報処理装置が、光ケーブルが取り込まれる中継設備を特定する前記情報に基づいて、前記第１の中継設備から前記第２の中継設備に至る経路を求め、
前記情報処理装置が、前記求めた各経路を構成する光ケーブルの長さを示す情報と、種別を示す情報と、単位長さあたりの光の減衰量を示す情報と、前記各経路を構成する各中継設備での光の減衰量を示す情報とに基づいて、前記経路毎に、光の減衰量の和を算出し、
前記情報処理装置が、前記算出した光の減衰量の和でソートした状態で、前記求めた各経路を示す情報の一覧を出力する、
ことを特徴とする情報処理装置の制御方法。
【請求項１７】
光ケーブル網を構成する光ケーブル毎に、光ケーブルを特定する情報と、光ケーブルが取り込まれる中継設備を特定する情報と、光ケーブル内の各心線を特定する情報と、各心線への回線の割当状況を示す情報と、を対応付けて記憶する情報処理装置の制御方法であって、
前記情報処理装置が、第１の中継設備を特定する情報の入力を受け、
前記情報処理装置が、光ケーブルが取り込まれる中継設備を特定する前記情報に基づいて、前記第１の中継設備に一方の端部が取り込まれる光ケーブルの他方の端部が取り込まれる第２の中継設備を求め、
前記情報処理装置が、各心線への回線の割当状況を示す前記情報に基づいて、前記求めた各第２の中継設備のうち、前記第１の中継設備と前記第２の中継設備とをつなぐ光ケーブルに回線が未割当の心線が含まれるものを抽出し、
前記情報処理装置が、光ケーブルを示す線画図形及び中継設備を示す図形により、前記第１の中継設備と前記抽出された各第２の中継設備との間がそれぞれ光ケーブルで接続されることを示す画像を表示する、
ことを特徴とする情報処理装置の制御方法。
【請求項１８】
光ケーブル網を構成する光ケーブル毎に、光ケーブルを特定する情報と、光ケーブルの長さを示す情報と、光ケーブルが取り込まれる中継設備を特定する情報とを、対応付けて記憶する情報処理装置に、
第１の中継設備を特定する情報の入力を受ける手順と、
第２の中継設備を特定する情報の入力を受ける手順と、
光ケーブルが取り込まれる中継設備を特定する前記情報に基づいて、前記第１の中継設備から前記第２の中継設備に至る経路を求める手順と、
光ケーブルの長さを示す前記情報に基づいて、前記求めた各経路の各光ケーブルの長さの和を、経路毎に算出する手順と、
前記算出した光ケーブルの長さの和でソートした状態で、前記求めた各経路を示す情報の一覧を出力する手順と、
を実行させるためのプログラム。
【請求項１９】
光ケーブル網を構成する光ケーブル毎に、光ケーブルを特定する情報と、光ケーブルの種類を示す情報と、光ケーブルの長さを示す情報と、光ケーブルが取り込まれる中継設備を特定する情報と、を対応付けて記憶する光ケーブル管理データベースと、光ケーブルの種類に応じて定まる光ケーブルの単位長さあたりの光の減衰量を示す情報を記憶する線路損失管理データベースと、各中継設備を特定する情報と、各中継設備での光の減衰量を示す情報と、を対応付けて記憶する光減衰量管理データベースと、を備える情報処理装置に、
第１の中継設備を特定する情報の入力を受ける手順と、
第２の中継設備を特定する情報の入力を受ける手順と、
光ケーブルが取り込まれる中継設備を特定する前記情報に基づいて、前記第１の中継設備から前記第２の中継設備に至る経路を求める手順と、
前記求めた各経路を構成する光ケーブルの長さを示す情報と、種別を示す情報と、単位長さあたりの光の減衰量を示す情報と、前記各経路を構成する各中継設備での光の減衰量を示す情報とに基づいて、前記経路毎に、光の減衰量の和を算出する手順と、
前記算出した光の減衰量の和でソートした状態で、前記求めた各経路を示す情報の一覧を出力する手順と、
を実行させるためのプログラム。
【請求項２０】
光ケーブル網を構成する光ケーブル毎に、光ケーブルを特定する情報と、光ケーブルが取り込まれる中継設備を特定する情報と、光ケーブル内の各心線を特定する情報と、各心線への回線の割当状況を示す情報と、を対応付けて記憶する情報処理装置に、
第１の中継設備を特定する情報の入力を受ける手順と、
光ケーブルが取り込まれる中継設備を特定する前記情報に基づいて、前記第１の中継設備に一方の端部が取り込まれる光ケーブルの他方の端部が取り込まれる第２の中継設備を求める手順と、
各心線への回線の割当状況を示す前記情報に基づいて、前記求めた各第２の中継設備のうち、前記第１の中継設備と前記第２の中継設備とをつなぐ光ケーブルに回線が未割当の心線が含まれるものを抽出する手順と、
光ケーブルを示す線画図形及び中継設備を示す図形により、前記第１の中継設備と前記抽出された各第２の中継設備との間がそれぞれ光ケーブルで接続されることを示す画像を表示する手順と、
を実行させるためのプログラム。
【発明の詳細な説明】
【技術分野】
【０００１】
本発明は、光ケーブル網の管理を支援する情報処理装置、情報処理装置の制御方法およびプログラムに関する。
【背景技術】
【０００２】
近年、情報技術の進歩と共にコンピュータ間で授受されるデータ量が増加し、より高速な通信回線を求める需要者が増加している。それに伴い、光ケーブル網の構築が急速に進められている。  
またこのような光ケーブル網を管理するための様々な技術も開発されている（例えば特許文献１参照）。
【特許文献１】特開２００３−２３３６２９号公報
【発明の開示】
【発明が解決しようとする課題】
【０００３】
光ケーブル網は、多数の光ケーブルが広範囲な地域にわたって複雑に接続されて構成される。また各光ケーブルには数多くの心線が含まれている。  
このような光ケーブル網の心線の管理は、正確かつ確実に行われなければならないが、近年光ケーブル網の利用者が急増し、また光ケーブルの敷設も急速に進められている。  
このため、光ケーブル網の心線の維持管理を迅速かつ正確に行い、作業負担を軽減する技術が求められている。
【０００４】
本発明は、上記課題を鑑みてなされたものであり、光ケーブル網における心線の維持管理を迅速かつ正確に行い、作業負担を軽減する情報処理装置、情報処理装置の制御方法およびプログラムを提供することを主たる目的とする。
【課題を解決するための手段】
【０００５】
上記課題を解決するために、本発明は、光ケーブル網を構成する光ケーブル毎に、光ケーブルを特定する情報と、光ケーブルの長さを示す情報と、光ケーブルが取り込まれる中継設備を特定する情報とを、対応付けて記憶する光ケーブル管理データベースと、第１の中継設備を特定する情報の入力を受ける第１の中継設備入力部と、第２の中継設備を特定する情報の入力を受ける第２の中継設備入力部と、光ケーブルが取り込まれる中継設備を特定する前記情報に基づいて、前記第１の中継設備から前記第２の中継設備に至る経路を求める経路探索部と、光ケーブルの長さを示す前記情報に基づいて、前記求めた各経路の各光ケーブルの長さの和を、経路毎に算出する光ケーブル長算出部と、前記算出した光ケーブルの長さの和でソートした状態で、前記求めた各経路を示す情報の一覧を出力する探索結果出力部と、を備えることを特徴とする情報処理装置に関する。  
このような態様により、光ケーブル網における指定した２点間を結ぶ経路の一覧を、光ケーブル長でソートした状態で出力することができる。例えば光ケーブル長が短い順にソートした状態で出力することができる。このため、回線設定時の経路選択作業負担を軽減することが可能となる。例えば出力された一覧の中から光ケーブル長が最短のものを選択する場合には、一覧の中の先頭に表示されている経路を選択すれば良い。光ケーブル長が最短の経路に回線を設定する場合には、光の減衰が少なくて済み、高品質の通信回線を顧客に提供することが可能となる。また１回線あたりの光ケーブル長を短くすることにより、より多くの顧客に回線を提供することが可能となる。このようにして光ケーブル網の利用効率が向上することにより、低コスト化を図ることも可能となる。
【０００６】
また前記探索結果出力部は、前記経路を示す情報の一覧を出力する際に、前記算出した光ケーブルの長さの和が等しいものについては、経路上の中継設備の数でソートした状態で出力するようにすることもできる。  
このような態様により、光ケーブル長の長さが等しい経路が複数あった場合であっても、例えば光の減衰が多い順又は少ない順に経路の一覧を出力することが可能となる。これにより、経路選択の判断をより容易化することが可能となる。
【０００７】
また、光ケーブル網を構成する光ケーブル毎に、光ケーブルを特定する情報と、光ケーブルの種類を示す情報と、光ケーブルの長さを示す情報と、光ケーブルが取り込まれる中継設備を特定する情報と、を対応付けて記憶する光ケーブル管理データベースと、光ケーブルの種類に応じて定まる光ケーブルの単位長さあたりの光の減衰量を示す情報を記憶する線路損失管理データベースと、各中継設備を特定する情報と、各中継設備での光の減衰量を示す情報と、を対応付けて記憶する光減衰量管理データベースと、第１の中継設備を特定する情報の入力を受ける第１の中継設備入力部と、第２の中継設備を特定する情報の入力を受ける第２の中継設備入力部と、光ケーブルが取り込まれる中継設備を特定する前記情報に基づいて、前記第１の中継設備から前記第２の中継設備に至る経路を求める経路探索部と、前記求めた各経路を構成する光ケーブルの長さを示す情報と、種別を示す情報と、単位長さあたりの光の減衰量を示す情報と、前記各経路を構成する各中継設備での光の減衰量を示す情報とに基づいて、前記経路毎に、光の減衰量の和を算出する光減衰量算出部と、前記算出した光の減衰量の和でソートした状態で、前記求めた各経路を示す情報の一覧を出力する探索結果出力部と、を備えることを特徴とする情報処理装置とすることもできる。  
このような態様によっても、光の減衰が多い順又は少ない順に経路の一覧を出力することが可能となる。光の減衰率は心線の接続方法によっても変わるため、中継設備ごとの光の減衰量を加算して経路全体の光の減衰量を求め、比較することにより、最も光の減衰の少ない経路を容易に選択することが可能となる。そしてこれにより、経路選択の判断をより容易化することが可能となる。
【０００８】
またここで、前記光減衰量管理データベースに記憶される、各中継設備での光の減衰量を示す前記情報は、光ケーブルの心線同士を接続する際の接続方法に応じて定まる光の減衰量を、各中継設備における光ケーブルの心線毎に示した情報であり、
前記経路毎に算出する光の減衰量の和は、前記求めた各経路上の各中継設備のそれぞれにおける心線の最多の接続方法に応じた光の減衰量を示す情報と、前記各経路を構成する光ケーブルの長さを示す情報と、種別を示す情報と、単位長さあたりの光の減衰量を示す情報と、に基づいて算出されるようにしてもよい。  
このような態様により、各中継設備のそれぞれにおける心線の最多の接続方法に応じた光の減衰量に基づいて、指定した２点間の光の減衰量を算出することができ、これにより各中継設備における心線の接続方法が一通りではない場合であっても、指定した２点間を結ぶ各経路それぞれの光の減衰量の概算値を知ることが可能となる。これにより、まだどの心線に回線を設定するかを決めていない回線設定前の検討段階においても、指定した２点間を結ぶ経路全体の光の減衰量を比較することができるようになり、経路の選択を容易化することが可能となる。
【０００９】
また前記情報処理装置は、前記出力された各経路を示す情報の一覧の中の少なくとも一つを指定する情報の入力を受ける経路指定入力部と、光ケーブルを示す線画図形及び中継設備を示す図形により、前記指定された経路上の各光ケーブルの接続関係を、他の経路とは異なる描画方法で示す画像を表示する経路表示部と、を備えるようにすることもできる。  
このような態様により、指定した２点間の経路を視覚的に把握することができると共に、一覧表示された経路の中から選択された経路を他の経路とは視覚的に区別して把握するようにすることができるため、経路選択時の有益な情報を提供することができるようになる。例えば選択された経路を、他の経路よりも太い線により表したり、他の経路とは異なる色により表すようにすることができる。
【００１０】
また前記情報処理装置は、中継設備を特定する情報と、前記中継設備に取り込まれる各光ケーブルの各心線を特定する情報と、前記各心線とそれぞれ接続される相手方の各心線を特定する情報と、を中継設備毎に対応付けて記憶する心線接続属性管理データベースと、前記出力された各経路を示す情報の一覧の中の少なくとも一つを指定する情報の入力を受ける経路指定入力部と、光ケーブルの心線を示す線画図形及び中継設備を示す図形により、前記指定された経路上の各心線の接続関係を示す画像を表示する心線表示部と、を備えるようにすることもできる。  
このような態様により、指定した２点間を結ぶ心線を視覚的に表示することが可能となる。これにより、心線の接続関係を見ながら回線を割り当てることができるようになるため、回線設定作業を容易化することが可能となる。
【００１１】
また前記心線表示部は、前記指定された経路上の各中継設備のうち、取り込まれる各光ケーブルの全ての心線が相手側の心線と分岐されずに接続されている中継設備を省略して、前記指定された経路上の各心線の接続関係を示す画像を表示するようにすることもできる。  
このような態様により、第１の接続点と第２の接続点との間に並ぶいくつかの中継設備を省略して図示することができ、経路上に数多くの中継設備が存在する場合であっても、経路上の接続関係を容易に把握することが可能となる。
【００１２】
また前記情報処理装置は、各光ケーブルの各心線を特定する情報と、各心線の所有者を特定する情報と、をそれぞれ対応付けて記憶する心線所有者管理データベースと、を備え、前記心線表示部は、前記指定された経路上の各心線のうち、所定の所有者の心線を省略して、前記指定された経路上の各心線の接続関係を示す画像を表示するようにすることもできる。  
このような態様により、表示される心線の数を減らすことができるため、経路上の心線の接続関係を見やすくすることができる。そしてこのため、経路の選択を容易化することが可能となる。
【００１３】
また前記心線表示部は、前記指定された経路上の各中継設備を略長方形の図形で表し、各中継設備において互いに接続される心線を特定する情報を、前記略長方形の対向する二辺に沿って所定の順序に並べて表示すると共に、前記互いに接続される心線を特定する情報の表示のペアを前記二辺に垂直な直線、又は前記二辺に垂直な直線と前記二辺に平行な他のペアと共通の直線とを組み合わせた折れ線により接続して表示し、前記折れ線の屈曲部分には、互いに相手方の心線を特定する情報を表示するようにすることもできる（図２８参照）。  
このような態様により、心線の接続関係を表す線の本数を実際の本数よりも少なく表示することができるので、各中継設備における心線の接続関係を見やすくすることができる。特に１つの中継設備において接続される心線の数が数千本に及ぶ場合などには、数多くの心線が複雑に接続され、相手方の心線が同じ画面上に表示できない場合がある。このような場合に、折れ線の屈曲部分に相手方の心線を特定する情報を表示されていれば、心線の接続関係を容易に把握することが可能となる。これにより、回線設定時の作業効率を向上することができる。
【００１４】
また、前記二辺に平行な他のペアと共通の直線は、前記二辺に平行な各ペアに共通の１本の直線であるようにすることもできる。  
このような態様により、各中継設備における心線の接続関係を表示する際に、前記二辺に平行な直線を一本にまとめて表示することができるので、さらに見やすくすることができる。
【００１５】
また前記光ケーブル管理データベースには、光ケーブル内において各心線が所定数毎に束ねられてなる各心線束を特定する情報と、各心線束内の各心線を特定する情報と、が光ケーブル毎に対応付けて記憶され、前記心線表示部は、光ケーブルの心線束を示す線画図形及び中継設備を示す図形により、前記指定された経路上の各心線束の接続関係を示す画像を表示するようにすることもできる。  
このような態様により、心線束毎に経路上の接続関係が表示されるので、表示を見やすくすることができる。
【００１６】
また、光ケーブル網を構成する光ケーブル毎に、光ケーブルを特定する情報と、光ケーブルが取り込まれる中継設備を特定する情報と、光ケーブル内の各心線を特定する情報と、各心線への回線の割当状況を示す情報と、を対応付けて記憶する心線割当管理データベースと、第１の中継設備を特定する情報の入力を受ける中継設備入力部と、光ケーブルが取り込まれる中継設備を特定する前記情報に基づいて、前記第１の中継設備に一方の端部が取り込まれる光ケーブルの他方の端部が取り込まれる第２の中継設備を求める中継設備探索部と、各心線への回線の割当状況を示す前記情報に基づいて、前記求めた各第２の中継設備のうち、前記第１の中継設備と前記第２の中継設備とをつなぐ光ケーブルに回線が未割当の心線が含まれるものを抽出する回線未割当中継設備抽出部と、光ケーブルを示す線画図形及び中継設備を示す図形により、前記第１の中継設備と前記抽出された各第２の中継設備との間がそれぞれ光ケーブルで接続されることを示す画像を表示する回線未割当経路表示部と、を備えることを特徴とする情報処理装置とすることもできる。  
このような態様によって、回線が設定されていない心線を含む光ケーブルで接続される中継設備を探索することが可能となる。これにより、回線を設定する際の経路探索作業を容易化し、作業負担を軽減することが可能となる。
【００１７】
また前記回線未割当経路表示部は、前記第１の中継設備と前記抽出された各第２の中継設備との間をつなぐ各光ケーブル内の心線数と回線が未割当の心線数とを、それぞれ前記各光ケーブルを示す線画図形の近傍に表示するようにすることもできる。  
このような態様により、回線を設定する心線を選択する際の有益な情報を提供することが可能となる。例えば、回線が未割当の心線が１本しか残っていない経路と、回線が未割当の心線が複数残っている経路とがあった場合には、後者を選択するようにすることもできる。
【００１８】
また前記情報処理装置は、前記抽出された各第２の中継設備を示す情報の中の一つを指定する情報の入力を、前記第１の中継設備を示す情報の入力として受ける中継設備継続入力部と、を備えるようにすることもできる。  
このような態様により、回線が設定されていない心線を含む光ケーブルで接続される中継設備を順次探索してゆくことが可能となり、始点から終点までの間を回線が設定されていない心線を含む光ケーブルでつなぐ経路を探すことが可能となる。これにより、回線設定作業の効率化を図ることが可能となる。
【００１９】
その他、本願が開示する課題、及びその解決方法は、発明を実施するための最良の形態の欄、及び図面により明らかにされる。
【発明の効果】
【００２０】
光ケーブル網における心線の維持管理を迅速かつ正確に行い、作業負担を軽減することができる。
【発明を実施するための最良の形態】
【００２１】
＝＝＝全体構成例＝＝＝
本実施の形態にかかる光ケーブル心線管理サーバ２００を含む光ケーブル心線管理システム９００の全体構成を図１に示す。なお光ケーブル心線管理サーバ２００は、特許請求の範囲に記載の情報処理装置に相当する。
【００２２】
＜光ケーブル心線管理システム＞
光ケーブル心線管理システム９００は、光ケーブル心線管理サーバ２００に、利用者端末１００がネットワーク５００を介して通信可能に接続されてなる。
【００２３】
光ケーブル心線管理システム９００は、光ケーブル網における各光ケーブルが、局やクロージャ等の中継設備で接続されている様子を示す系統図をベースにした心線設計・管理用のシステムである。光ケーブル心線管理システム９００においては、局、クロージャ、ドロップクロージャ、建物、ＣＴＦ／ＩＤＦ（Cable Terminating Frame／Intermediate Distribution Frame）、お客様の各情報と、これらを結ぶ光ケーブルの設備状況と運用状況、クロージャ、ＣＴＦ／ＩＤＦ内の心線接続状況及びその運用状況、心線に重畳する回線及びその運用状況を管理することができる。
【００２４】
また光ケーブル心線管理システム９００は、次のような特徴がある。まず系統図全体のつながりを把握しながら複数ルートの検索結果から最適ルートを選択できる。また設備や心線接続の計画管理機能、及び心線に重畳する回線の予約管理機能を有する。さらにＦＴＴＨ（Fiber To The Home）の迅速な設計をおこなうため、通信速度などにおけるレスポンス低下の影響を受けないように配慮されている。またマルチウインドウ環境により、画面上に複数の系統図や各種帳票を開きながら心線や回線の属性編集ができる。またダウンロード機能により、系統図や単線結線図などの図面やデータベース一覧をダウンロードでき、工事仕様書への添付資料などとして利用できる。またアップロード機能により、ケーブル区間毎の譲受心線数の更新管理を効率的に行える。
【００２５】
＜光ケーブル心線管理サーバ＞
光ケーブル心線管理サーバ２００は、光ケーブル網の管理を支援するためのコンピュータである。  
光ケーブル網は、複数の光ケーブル内の心線同士を相互に接続して構成される。各光ケーブルには、通常、数十本から数千本もの心線が含まれる。光ケーブルの中には、各心線を所定数ごとにテープ等で束ねて心線束を構成するようにしたものもある。  
また各光ケーブルは、通常数百メートルから数千メートルの長さを有する。そしてクロージャや局等の各中継設備に取り込まれる。中継設備に取り込まれた光ケーブルは、他の光ケーブルと接続される場合もあるし、その中継設備を通過する場合もある。
【００２６】
顧客から光通信回線の利用申込があると、光ケーブル網の心線に、顧客用の回線を割り当てる。これにより、顧客はその心線を用いて光通信を行うことができるようになる。回線を設定可能な心線がない場合には、光ケーブルを新たに敷設することが必要になる。設定可能な心線がない場合とは、例えば全ての心線がすでに他の顧客用の回線に割当済みであり、空き心線がない場合や、そもそも光ケーブルの敷設がなされていない場合などである。
【００２７】
また回線を設定することが可能な経路（ルート）が複数ある場合もある。この場合は一般的にはできるだけ光ケーブルの長さが短くなるようなルートに回線を設定する。光ケーブルの長さが短ければ、それだけ光の損失が少なくてすむため、高品質の光通信を行うことができるからである。また１顧客あたりの回線の長さが短いほど空き心線が増えるため、より多くの顧客に回線を提供することができるからである。
【００２８】
本実施の形態に係る光ケーブル心線管理サーバ２００は、後述する仕組みにより、空き心線の探索や最短経路の探索の各処理を行い、心線への回線割当作業を効率化する。
【００２９】
＜利用者端末＞
利用者端末１００は、光ケーブル心線管理サーバ２００と通信可能に接続され、上記回線割当作業等の光ケーブル網の管理を行う際に用いられるコンピュータである。なお、光ケーブル網の管理は、利用者端末１００を用いずに行うことも可能である。この場合は、利用者端末１００は無くてもよい。
【００３０】
＝＝＝光ケーブル心線管理サーバ、利用者端末の構成＝＝＝
次に、光ケーブル心線管理サーバ２００、利用者端末１００の構成について説明する。光ケーブル心線管理サーバ２００、利用者端末１００はいずれもコンピュータであり、ハードウェア構成は基本的に同様である。そのため、これらのハードウェア構成をひとつのブロック図にまとめて図２に示す。
【００３１】
＜光ケーブル心線管理サーバ＞
光ケーブル心線管理サーバ２００は、ＣＰＵ（Central Processing Unit）２１０、メモリ２２０、ポート２３０、記録媒体読取装置２４０、入力装置２５０、出力装置２６０、記憶装置２８０を備えたコンピュータである。
【００３２】
ＣＰＵ２１０は光ケーブル心線管理サーバ２００の全体の制御を司るもので、記憶装置２８０に記憶される本実施の形態に係る各種の動作を行うためのコードから構成される光ケーブル心線管理サーバ制御プログラム（特許請求の範囲に記載のプログラムに相当する）７１０をメモリ２２０に読み出して実行することにより、光ケーブル心線管理サーバ２００としての各種機能を実現する。
【００３３】
例えばＣＰＵ２１０により光ケーブル心線管理サーバ制御プログラム７１０が実行され、メモリ２２０やポート２３０、入力装置２５０、出力装置２６０、記憶装置２８０等のハードウェア機器と協働することにより、特許請求の範囲に記載の光ケーブル管理データベース、線路損失管理データベース、第１の中継設備入力部、第２の中継設備入力部、経路探索部、光ケーブル長算出部、探索結果出力部、光減衰量管理データベース、光減衰量算出部、経路表示部、経路指定入力部、心線接続属性管理データベース、心線表示部、心線所有者管理データベース、心線割当管理データベース、中継設備入力部、中継設備探索部、回線未割当中継設備抽出部、回線未割当経路表示部、中継設備継続入力部が実現される。メモリ２２０は例えば半導体記憶装置により構成することができる。
【００３４】
記録媒体読取装置２４０は、フレキシブルディスクや磁気テープ、コンパクトディスク等の記録媒体４００に記録されているプログラムやデータを読み取るための装置である。読み取られたプログラムやデータはメモリ２２０や記憶装置２８０に格納される。従って、例えば記録媒体４００に記録された光ケーブル心線管理サーバ制御プログラム７１０を、記録媒体読取装置２４０を用いて上記記録媒体４００から読み取って、メモリ２２０や記憶装置２８０に記憶するようにすることができる。記録媒体読取装置２４０は光ケーブル心線管理サーバ２００に内蔵されている形態とすることもできるし、外付されている形態とすることもできる。
【００３５】
記憶装置２８０は、例えばハードディスク装置や半導体記憶装置等とすることができる。記憶装置２８０には、図３に示すように、光ケーブル心線管理サーバ制御プログラム７１０やクロージャ管理データベース６００、局管理データベース６１０、お客様管理データベース６２０、建物管理データベース６３０、ＣＴＦ／ＩＤＦ管理データベース６４０、ケーブル管理データベース６５０、ケーブル種別毎単位ロス値一覧表６５１、心線管理データベース６６０、心線接続属性管理データベース６７０が記憶される。このうち、ケーブル管理データベース６５０は、特許請求の範囲に記載の光ケーブル管理データベースに相当する。また心線管理データベース６６０は、特許請求の範囲に記載の光ケーブル管理データベース、心線所有者管理データベース、心線割当管理データベースに相当する。また心線接続属性管理データベース６７０は、特許請求の範囲に記載に光減衰量管理データベース、心線接続属性管理データベースに相当する。またケーブル種別毎単位ロス値一覧表６５１は、特許請求の範囲に記載の線路損失管理データベースに相当する。
【００３６】
クロージャ管理データベース６００はクロージャを管理するためのデータベースである。クロージャは、光ケーブル網において各光ケーブルを取り込む中継設備の一つである。クロージャ管理データベース６００を図５に示す。クロージャ管理データベース６００の”クロージャ名称”欄には、クロージャを特定する情報が記載される。”接続情報（ケーブル名称）”欄には、各クロージャに取り込まれる光ケーブルを特定する情報として光ケーブルの名称が記載される。また”接続情報（区間名称）”欄には、当該光ケーブルが取り込まれる中継設備を特定する情報が記載される。”運用状況”欄には、当該クロージャの運用状況が記載される。
【００３７】
局管理データベース６１０は、局を管理するためのデータベースである。局も、光ケーブル網において各光ケーブルを取り込む中継設備の一つである。局管理データベース６１０を図６に示す。局管理データベース６１０の”局名称”欄には、局を特定する情報として局の名称が記載される。”建物名称”欄には、局の所在地を示す建物の名称が記載される。
【００３８】
お客様管理データベース６２０は、光ケーブル網を利用するお客様を管理するためのデータベースである。お客様も、光ケーブル網において各光ケーブルを取り込む中継設備の一つである。お客様管理データベース６２０を図７に示す。”お客様名称”欄にはお客様を特定する情報としてお客様の名称が記載される。”建物名称”欄には、お客様の所在地を示す建物の名称が記載される。
【００３９】
建物管理データベース６３０は、局やお客様の所在地を示す建物の情報を管理するためのデータベースである。建物管理データベース６３０を図８に示す。”ラベル”欄には、建物を特定する情報として建物の名称が記載される。”遷移先系統図”欄には、その建物に敷設されている光ケーブルに関する情報が記載される系統図の識別情報が記載される。
【００４０】
ＣＴＦ／ＩＤＦ管理データベース６４０は、局やお客様の建物内に設置されるＣＴＦ／ＩＤＦを管理するためのデータベースである。ＣＴＦ／ＩＤＦ管理データベース６４０を図９に示す。”ＣＴＦ／ＩＤＦ名称”欄には、ＣＴＦ／ＩＤＦを特定する情報が記載される。”接続情報（ケーブル名称）”欄には、各ＣＴＦ／ＩＤＦに取り込まれる光ケーブルを特定する情報が記載される。また”接続情報（区間名称）”欄には、当該光ケーブルが取り込まれる中継設備を特定する情報が記載される。
【００４１】
ケーブル管理データベース６５０は、光ケーブル網を構成する各光ケーブルを管理するためのデータベースである。ケーブル管理データベース６５０を図１０に示す。”ケーブル名称”欄には、各光ケーブルを特定する情報が記載される。また”ケーブル区間名称”欄には、当該光ケーブルが取り込まれる中継設備を特定する情報が記載される。”ケーブル種別”欄には、光ケーブルの種別を示す情報が記載される。”テープ種別”欄には、光ケーブル内の各心線束内の心線数が記載される。テープ種別欄に「２」と記載されている場合には、各心線束には２本の心線が含まれることを示す。”ケーブル総心線数”欄には、光ケーブル内の心線の数が記載される。”ケーブル実長”欄には、光ケーブルの長さを示す情報が記載される。
【００４２】
ケーブル種別毎単位ロス値一覧表６５１は、光ケーブルの種別に応じて定まる光ケーブルの単位長さ（１ｋｍ）あたりの光の減衰量（ｄＢ）を示す情報を記憶するデータベースである。ケーブル種別毎単位ロス値一覧表６５１を図３８に示す。図３８に示す例では、ケーブル種別としてＳＭ（１．３１μ）、ＳＭ（１．５５μ）、ＤＳＦ（１．５５μ）、が記載されている。
【００４３】
心線管理データベース６６０は、各光ケーブル内の各心線を管理するためのデータベースである。心線管理データベース６６０を図１１に示す。”ケーブル名称”欄には、各心線を含むケーブルを特定する情報が記載される。”ケーブル区間名称”欄には、各光ケーブルが取り込まれる中継設備を特定する情報が記載される。”心線番号”欄には、各心線を特定する情報が記載される。”テープ番号”欄には、各心線束を特定する情報が記載される。”空き状態”欄には、各心線への回線の割当状況を示す情報が記載される。「使用中」と記載されている場合には、当該心線には回線が割当済みであることを示す。「空き」と記載されている場合には、当該心線には回線が未設定であることを示す。”心線状況”欄には、各心線の異常有無が記載される。「不良」と記載されている場合には、その心線は光通信を行うことができない状況であることを示す。”心線所有者”欄には、各心線の所有者を特定する情報が記載される。
【００４４】
心線接続属性管理データベース６７０は、中継設備に取り込まれる各光ケーブルの各心線を特定する情報と、上記各心線とそれぞれ接続される相手方の各心線を特定する情報と、を中継設備毎に対応付けて記憶するデータベースである。心線接続属性管理データベース６７０を図１２に示す。”設備名称”欄には、局やクロージャの名称等の中継設備を特定する情報が記載される。”左側ケーブル区間名称”欄に記載される光ケーブルと、”右側ケーブル区間名称”欄に記載される光ケーブルとは、それぞれ中継設備に取り込まれ、互いの心線同士が接続されている光ケーブルであることを示す。他の光心線と接続されない光心線または管理しない光ケーブル等と接続されている場合には、”接続・終端”欄には、「終端」と記載される。また”方式”欄には、光ケーブルの心線同士を接続する際の接続方法が記載される。接続方法としては、「融着」、「コネクタ接続」、「通過」、「カプラ接続」等がある。”ロス値”欄には、光の減衰量を示す情報が記載される。光の減衰量は、心線同士の接続方法に応じて定まる。図１２に示す例では、「融着」の場合は０．４（ｄB）、「通過」の場合は０（ｄB）である。
【００４５】
入力装置２５０は光ケーブル心線管理サーバ２００へのデータ入力等のために用いられる装置でありユーザインタフェースとして機能する。入力装置２５０としては例えばキーボードやマウス等を用いることができる。  
出力装置２６０は情報を外部に出力するための装置でありユーザインタフェースとして機能する。出力装置２６０としては例えばディスプレイやプリンタ等を用いることができる。
【００４６】
ポート２３０は通信を行うための装置である。例えばネットワーク５００を介して行われる、利用者端末１００等の他のコンピュータとの通信は、ポート２３０を介して行われるようにすることができる。また例えば、光ケーブル心線管理サーバ制御プログラム７１０をポート２３０を通じて他のコンピュータからネットワーク５００を介して受信して、メモリ２２０や記憶装置２８０に記憶するようにすることもできる。
【００４７】
＜利用者端末＞
利用者端末１００は、ＣＰＵ１１０、メモリ１２０、ポート１３０、記録媒体読取装置１４０、入力装置１５０、出力装置１６０、記憶装置１８０を備える。  
これらの各装置の機能は、上述した光ケーブル心線管理サーバ２００が備える各装置と同様である。  
また、利用者端末１００の記憶装置１８０には、図４に示すように、利用者端末制御プログラム７００が記憶され、ＣＰＵ１１０によって実行されることにより、利用者端末１００としての各種機能が実現される。例えば利用者端末制御プログラム７００は、光ケーブル心線管理サーバ２００との通信を制御し、ブラウザ機能を実現する。
【００４８】
＝＝＝ルート探索処理＝＝＝
次に、本実施の形態に係る光ケーブル心線管理サーバ２００により、光ケーブル網における２点間のルート探索を行う場合の処理について、図１３乃至図２９を参照しながら説明する。図２９は、ルート探索処理の流れを示すフローチャートである。
【００４９】
光ケーブル網における各光ケーブルが、局やクロージャ等の中継設備で接続されている様子を示す系統図を図１３に示す。ここで図１３に示す系統図は、利用者端末１００の出力装置１６０であるディスプレイに表示されているものとするが、もちろん光ケーブル心線管理サーバ２００の出力装置２６０であるディスプレイに表示されている場合であっても良い。
【００５０】
図１３に示す系統図の画面において、マウスのカーソルを、各中継設備を示すアイコンに重ねてクリックすることにより始点（第１の中継設備）、通過点、終点（第２の中継設備）を選択すると（S1010）、光ケーブル心線管理サーバ２００により、始点から通過点を経由して終点に至る経路が探索される（S1020）。そして各経路の光ケーブルの長さの和でソートした状態で、各経路を示す情報の一覧が出力される（S1040）。そして出力された各経路を示す情報の一覧の中の少なくとも一つを指定する情報が入力されると、図１４に示すように、心線接続図を表示する（S1050）。心線接続図は、光ケーブルの心線を示す線画図形及び中継設備を示す図形により、指定された経路上の各心線の接続関係を示す画像を表示したものである。図１４においては、局＃２が始点であり、クロージャ＃３が通過点であり、お客さま＃２が終点である。なお、通過点の選択を省くようにすることも可能である。
【００５１】
また、始点から終点に至る経路の探索を、光ケーブル心線管理サーバ２００に実行させる際に、図１５に示すように、探索の条件を入力することもできる（S1000）。図１５に示す例では、最大スパン数、最大距離が探索の条件として設定されている。スパン数とは、始点から終点に至る経路上における各中継設備間の数である。また距離とは、始点から終点に至る経路上における各光ケーブルの長さの和の値である。最大スパン数や最大距離を探索の条件として指定した場合には、指定したスパン数や距離を超える経路の探索を行わないようにすることができる。このようにすることにより、探索の実行時間を短縮することが可能となる。また経路の探索対象としてケーブルを指定することもできる。探索対象とするケーブルは、ケーブル管理データベース６５０の”ケーブル所有者”欄を参照することにより判別することができる。
【００５２】
始点から終点に至る経路が探索されると（S1020）、光ケーブル心線管理サーバ２００により、探索された各経路上の各光ケーブルの長さの和とスパン数とが算出され（S1030）、図１６に示すように、探索された各経路を示す情報の一覧が、光ケーブルの長さの和でソートした状態で出力される（S1040）。これにより、回線設定時の経路選択作業負担を軽減することが可能となる。算出した光ケーブルの長さの和が等しいものについては、スパン数でソートした状態で出力される。これにより、経路選択の判断をより容易化することが可能となる。なお、心線接続属性管理データベース６７０の”ロス値”欄に記憶される各中継設備における光の減衰量を示す情報、ケーブル管理データベース６５０に記憶される光ケーブルの長さを示す情報及び光ケーブルの種別を示す情報、ケーブル種別毎単位ロス値一覧表６５１に記憶される光ケーブルの単位長さあたりの光の減衰量を示す情報に基づいて、探索された各経路について、始点から終点に至る経路全体の光の減衰量の和を算出し、算出した光の減衰量の和でソートした状態で、探索された各経路を示す情報の一覧を出力するようにすることもできる。これにより、最も光の減衰量の少ない経路を容易に選択することが可能となる。そしてこれにより、経路選択の判断をより容易化することが可能となる。また、始点から終点に至る経路上の各中継設備のそれぞれにおける心線の最多の接続方法に応じた光の減衰量を示す情報に基づいて、上記光の減衰量の和を算出し、算出した光の減衰量の和でソートした状態で、探索された各経路を示す情報の一覧を出力するようにすることもできる。
【００５３】
図１６において、出力された一覧の中の少なくとも一つの経路を指定して、”強調表示”欄をクリックすると、図１７に示すように、光ケーブルを示す線画図形及び中継設備を示す図形により表示される系統図上において、指定された経路上の各光ケーブルの接続関係が、他の経路とは異なる描画方法で示される。図１７に示す例では、指定された経路上の各光ケーブルが他の経路の光ケーブルよりも太い線で表示されるようにすることにより、指定された経路が他の経路とは異なる描画方法で図示されている。強調表示は、指定された経路の光ケーブルを太い線で表示するほか、他の光ケーブルとは異なる色で表示することによっても行うことができる。これにより、一覧表示された経路の中から選択された経路を他の経路とは視覚的に区別して把握するようにすることができるため、経路選択時の有益な情報を提供することができるようになる。
【００５４】
また図１６で一覧表示されている経路の中のいずれかを選択することによって、図３９に示すロス加算表を表示させることができる。図３９に示すロス加算表は、中継設備「Ａ」から「Ｂ」の区間に関しては、接続ロス値が０．２（ｄB）であり、ケーブルロス値が０．１２５（ｄB）であり、コネクタ（ＳＣ）の接続ロス値が０．５（ｄB）であり、中継設備「Ｂ」から「Ｃ」の区間に関しては、接続ロス値が０．２（ｄB）であり、ケーブルロス値が０．３（ｄB）であり、中継設備「Ａ」から「Ｃ」の全体では、合計１．３２５（ｄB）であることを示す。ケーブルロス値の計算は、あらかじめケーブル種別毎単位ロス値一覧表６５１の中にケーブル種別毎のｋｍあたりのロス値を登録しておくことで、光ケーブルの長さに応じて自動計算される。なお、図３９に示すロス加算表は、図１６で一覧表示されている経路の中のいずれかを選択し、単位結線図を表示した後、メニューから表示させることもできる。
【００５５】
また図１６の一覧の少なくとも一つの経路を指定して、”選択”欄をクリックすると、図１８に示す画面が表示される。ここで出力形式を選択して”実行”欄をクリックすると、図１９に示す心線接続図が表示される（S1050）。心線接続図においては、中継設備は略長方形の図形で表される。なお、図１４に示した図も図１９と同様に心線接続図である。
【００５６】
図１８に示す画面において、”回線ラベル”を「表示」にすると、心線接続図において、最左設備以外も回線ラベルを表示する。その様子を図２６に示す。この場合、設備内で終端している心線は設備内に回線ラベルを作図する。またルートに指定した設備以外で回線が終端している場合、設備以外に矢印を作図し、回線ラベルを矢印の外側に作図する。また”回線ラベル”を「非表示」にすると、最左設備のみ回線ラベルを表示する。その様子を図２７に示す。この場合、始端設備は回線ラベルの表示有無に関わらず常に回線ラベルを表示する。始端設備以外は回線ラベルを表示せず、回線ラベルを表示しない分設備枠の幅を縮める。これにより、心線接続図を見やすく表示することが可能となる。
【００５７】
また”ケーブル枠線”を「ケーブル」にすると、心線をケーブル単位の枠で括って表示する。その様子を図２２に示す。この場合、設備に接続している光ケーブルのケーブル枠を設備外側に作図する。また”ケーブル枠線”を「テープ心線ごと」にすると、心線を２、４、８心テープの枠で括って表示する。つまり指定された経路上の各心線束の接続関係が表示される。その様子を図２３に示す。この場合、設備に接続している光ケーブルのケーブル枠を、設備外側にテープ種別単位に作図する。テープ種別が２／４／８心テープ以外の場合、テープの作図を行わずケーブル枠のみを作図する。これにより、テープ毎に経路上の接続関係が表示されるので、心線接続図の表示を見やすくすることができる。
【００５８】
また”他社予約心線”を「省略する」にすると、始点から終点に至る経路上の各心線のうち、所定の所有者の心線が省略して図示される。その様子を図２５に示す。なおこの場合、所定の所有者の心線がストレートに接続されており、回線情報も予約情報もない空き心線の場合に心線を省略表示するようにすることもできる。また、上記”ケーブル枠線”において「テープ心線ごと」が選択されている場合には、心線が省略表示されている箇所はテープの表示も行わないようにすることもできる。これにより、表示される心線の数を減らすことができるため、経路上の心線の接続関係を見やすくすることができる。また”他社予約心線”を「省略しない」にすると、全ての心線を表示する。その様子を図２４に示す。
【００５９】
また”通過クロージャ”を「まとめる」にすると、指定された経路上の各中継設備のうち、取り込まれる各光ケーブルの全ての心線が相手側の心線と分岐されずに接続されている中継設備を省略して、上記指定された経路上の各心線の接続関係が表示される。その様子を図２１に示す。また、隣り合うクロージャで接続されている光ケーブルが２本かつ、全心線の接続方法が全て同じ場合にクロージャをまとめて表示するようにすることもできる。これにより、始点と終点との間のクロージャを省略して図示することができるため、経路上に数多くのクロージャが存在する場合であっても、経路上の接続関係を容易に把握することが可能となる。また”通過クロージャ”を「まとめない」にすると、全てのクロージャを表示する。その様子を図２０に示す。
【００６０】
また心線接続図において、各中継設備において互いに接続される心線の番号を、各中継設備を表す略長方形の対向する二辺に沿って番号順に並べて表示すると共に、互いに接続される心線の番号の表示のペアを上記二辺に垂直な直線、又は上記二辺に垂直な直線と上記二辺に平行な他のペアと共通の直線とを組み合わせた折れ線により接続して表示し、折れ線の屈曲部分には、互いに相手方の心線の番号を表示するようにすることもできる。その様子を図２８に示す。図２８において、丸印をつけた数字が相手方の心線の番号を示す。このようにすることにより、心線の接続関係を表す線の本数を実際の本数よりも少なく表示することができるので、各中継設備における心線の接続関係を見やすくすることができる。また、上記二辺に平行な他のペアと共通の直線を、上記二辺に平行な各ペアに共通の１本の直線であるようにすれば、各中継設備における心線の接続関係を表示する際に、上記二辺に平行な直線を一本にまとめて表示することができるので、さらに見やすくすることもできる。
【００６１】
なお、カプラと、カプラ分岐される光心線のパターンについても図２８にあわせて示す。図２８に示すように、カプラシンボルは枠の一番上に表示し，複数カプラがある場合には縦に並べて表示する。また各カプラには”Ａ”や”Ｂ”などの記号を自動付与する。また、カプラから出る線は、カプラが複数ある場合でも縦線二本とし（左側向けと右側向け），カプラの上位側心線には「カプラ記号＋上」と表示し、カプラの下位側心線には「カプラ記号＋ポート番号」を表示する。このようにすることにより、カプラの数に関わらず、カプラ表示領域の幅を固定することが可能となる。またカプラを枠の一番上に表示することにより、他心線と重なり合うことを防止することができる。
【００６２】
＝＝＝空き心線探索処理＝＝＝
次に、本実施の形態に係る光ケーブル心線管理サーバ２００により、光ケーブル網における空き心線の探索を行う場合の処理について、図３０乃至図３７を参照しながら説明する。図３７は、空き心線の探索処理の流れを示すフローチャートである。  
空き心線探索は、始点から終点に至るまで、逐次光ケーブルの空き状況を見ながら、空き心線ルートを探索する処理である。また探索完了後は、始点から終点までの単線結線図を表示することもできる。
【００６３】
まず、図３０に示す系統図の画面において、探索する経路の始点となる接続点（第１の中継設備）をクリックして選択する（S2000）。そしてメニューから「空き心線検索」を選択してクリックする。  
そうすると光ケーブル心線管理サーバ２００は、図３１に示すように、検索条件の入力を受け付ける（S2010）。ここでは、探索の対象とするケーブルの選択や、探索を心線単位で行うかテープ単位で行うかの選択、探索対象に廃止予定の回線を含むか否かの選択をすることができる。
【００６４】
探索条件を入力して「検索」欄をクリックすると、光ケーブル心線管理サーバ２００は、心線管理データベース６６０のケーブル区間名称欄に記憶されている光ケーブルが取り込まれる中継設備を特定する情報に基づいて、第１の中継設備に一方の端部が取り込まれる光ケーブルの他方の端部が取り込まれる第２の中継設備を求める。そして光ケーブル心線管理サーバ２００は、心線管理データベース６６０の空き状況欄に記憶される、各心線への回線の割当状況を示す情報に基づいて、上記求めた各第２の中継設備のうち、第１の中継設備と第２の中継設備とをつなぐ光ケーブルに回線が未割当の心線が含まれるものを抽出する（S2020）。
【００６５】
そして光ケーブル心線管理サーバ２００は、図３２に示すように、第１の中継設備と、抽出された各第２の中継設備との間がそれぞれ光ケーブルで接続される様子を図示する（S2030）。  
これにより、回線が設定されていない心線を含む光ケーブルで接続される中継設備を探索することが可能となる。そして回線を設定する際の経路探索作業を容易化し、作業負担を軽減することが可能となる。
【００６６】
さらに、図３３に示すように、抽出された各第２の中継設備を示すアイコンの中の一つを右クリックして選択し、「空き心線検索」をクリックすることにより（S2040）、光ケーブル心線管理サーバ２００は、そのアイコンで特定される中継設備を第１の中継設備として、上述した処理を行い、心線管理データベース６６０のケーブル区間名称欄に記憶されている光ケーブルが取り込まれる中継設備を特定する情報に基づいて、次の第２の中継設備を求める（S2020、S2030）。
【００６７】
探索結果が図示される様子を図３４に示す。この処理を、終点となる中継設備に到達するまで繰り返し行う。終点にまで到達したら、図３５に示すように、「ケーブル単線結線図」欄をクリックする（S2050）。そうすると、光ケーブル心線管理サーバ２００は、図３６に示すように、ケーブル単線結線図を表示する（S2060）。
【００６８】
このような態様により、回線が設定されていない心線を含む光ケーブルで接続される中継設備を順次探索してゆくことが可能となる。これにより、回線設定作業の効率化を図ることが可能となる。
【００６９】
以上、本実施の形態について説明したが、本実施の形態によれば、光ケーブル網における心線の維持管理を迅速かつ正確に行い、作業負担を軽減することが可能となる。また高品質の通信回線を顧客に提供することが可能となる。また１回線あたりの光ケーブル長を短くすることにより、より多くの顧客に回線を提供することが可能となる。このようにして光ケーブル網の利用効率が向上することにより、低コスト化を図ることも可能となる。
【００７０】
以上、本発明を実施するための最良の形態について説明したが、上記実施の形態は本発明の理解を容易にするためのものであり、本発明を限定して解釈するためのものではない。本発明はその趣旨を逸脱することなく変更、改良され得ると共に、本発明にはその等価物も含まれる。
【図面の簡単な説明】
【００７１】
【図１】本実施の形態に係る光ケーブル心線管理システムの全体構成を示す図である。
【図２】本実施の形態に係る光ケーブル心線管理サーバ、利用者端末の構成を示す図である。
【図３】本実施の形態に係る光ケーブル心線管理サーバの記憶装置の構成を示す図である。
【図４】本実施の形態に係る利用者端末の記憶装置の構成を示す図である。
【図５】本実施の形態に係るクロージャ管理データベースを示す図である。
【図６】本実施の形態に係る局管理データベースを示す図である。
【図７】本実施の形態に係るお客様管理データベースを示す図である。
【図８】本実施の形態に係る建物管理データベースを示す図である。
【図９】本実施の形態に係るＣＴＦ／ＩＤＦ管理データベースを示す図である。
【図１０】本実施の形態に係るケーブル管理データベースを示す図である。
【図１１】本実施の形態に係る心線管理データベースを示す図である。
【図１２】本実施の形態に係る心線接続属性管理データベースを示す図である。
【図１３】本実施の形態に係るルート探索処理を示す図である。
【図１４】本実施の形態に係る心線接続図を示す図である。
【図１５】本実施の形態に係るルート探索処理における条件入力を示す図である。
【図１６】本実施の形態に係るルート探索処理におけるルート一覧表示を示す図である。
【図１７】本実施の形態に係るルート探索処理における強調表示を示す図である。
【図１８】本実施の形態に係る心線接続図表示の際における条件入力を示す図である。
【図１９】本実施の形態に係る心線接続図を示す図である。
【図２０】本実施の形態に係るクロージャまとめ表示を示す図である。
【図２１】本実施の形態に係るクロージャまとめ表示を示す図である。
【図２２】本実施の形態に係るケーブル枠線表示を示す図である。
【図２３】本実施の形態に係るケーブル枠線表示を示す図である。
【図２４】本実施の形態に係る他社予約心線表示を示す図である。
【図２５】本実施の形態に係る他社予約心線表示を示す図である。
【図２６】本実施の形態に係る回線ラベル表示を示す図である。
【図２７】本実施の形態に係る回線ラベル表示を示す図である。
【図２８】本実施の形態に係る心線番号表示を示す図である。
【図２９】本実施の形態に係るルート探索処理の流れを示すフローチャートである。
【図３０】本実施の形態に係る空き心線探索処理を示す図である。
【図３１】本実施の形態に係る空き心線探索処理における条件入力を示す図である。
【図３２】本実施の形態に係る空き心線探索処理を示す図である。
【図３３】本実施の形態に係る空き心線探索処理を示す図である。
【図３４】本実施の形態に係る空き心線探索処理を示す図である。
【図３５】本実施の形態に係る空き心線探索処理を示す図である。
【図３６】本実施の形態に係る空き心線探索処理におけるケーブル単線結線図を示す図である。
【図３７】本実施の形態に係る空き心線探索処理の流れを示すフローチャートである。
【図３８】本実施の形態に係るケーブル種別毎単位ロス値一覧表を示す図である。
【図３９】本実施の形態に係るロス加算表を示す図である。
【符号の説明】
【００７２】
１００  利用者端末
２００  光ケーブル心線管理サーバ
４００  記録媒体
５００  ネットワーク
６００  クロージャ管理データベース
６１０  局管理データベース
６２０  お客様管理データベース
６３０  建物管理データベース
６４０  ＣＴＦ／ＩＤＦ管理データベース
６５０  ケーブル管理データベース
６５１  ケーブル種別毎単位ロス値一覧表
６６０  心線管理データベース
６７０  心線接続属性管理データベース
７００  利用者端末制御プログラム
７１０  光ケーブル心線管理サーバ制御プログラム
９００  光ケーブル心線管理システム
【図１】
2007166504.tif 000003
【図２】
2007166504.tif 000004
【図３】
2007166504.tif 000005
【図４】
2007166504.tif 000006
【図５】
2007166504.tif 000007
【図６】
2007166504.tif 000008
【図７】
2007166504.tif 000009
【図８】
2007166504.tif 000010
【図９】
2007166504.tif 000011
【図１０】
2007166504.tif 000012
【図１１】
2007166504.tif 000013
【図１２】
2007166504.tif 000014
【図１４】
2007166504.tif 000015
【図２０】
2007166504.tif 000016
【図２１】
2007166504.tif 000017
【図２２】
2007166504.tif 000018
【図２３】
2007166504.tif 000019
【図２４】
2007166504.tif 000020
【図２５】
2007166504.tif 000021
【図２６】
2007166504.tif 000022
【図２７】
2007166504.tif 000023
【図２８】
2007166504.tif 000024
【図２９】
2007166504.tif 000025
【図３７】
2007166504.tif 000026
【図３８】
2007166504.tif 000027
【図３９】
2007166504.tif 000028
【図１３】
2007166504.tif 000029
【図１５】
2007166504.tif 000030
【図１６】
2007166504.tif 000031
【図１７】
2007166504.tif 000032
【図１８】
2007166504.tif 000033
【図１９】
2007166504.tif 000034
【図３０】
2007166504.tif 000035
【図３１】
2007166504.tif 000036
【図３２】
2007166504.tif 000037
【図３３】
2007166504.tif 000038
【図３４】
2007166504.tif 000039
【図３５】
2007166504.tif 000040
【図３６】
2007166504.tif 000041